(57)【要約】【課題】電磁波から遊技制御装置を良好に保護することが出来ると共に、遊技台の前面扉を開いたときには、遊技台本体内に装着した制御装置を良好に見通すことが出来る遊技台を提供する。【解決手段】遊技台１００の前面扉１０１が閉じられているとき、前面扉１０１の裏面に設けた作動接続部材１９２と金属製の電磁波遮蔽板５００に設けた従動接続部５０３とを結ぶ直線距離が連結作動紐６０２の長さを超えないように設定しておくことで、電磁波遮蔽板５００は主制御装置３００の前面および左右両側方を覆う電磁波遮蔽状態となり、前面扉１０１が開けられると、連結作動紐６０２が引かれて行くに従い、電磁波遮蔽板５００が前面側へ上方回動してゆき、主制御装置３００の前面側から電磁波遮蔽板５００が退いて開放状態となり、本体２０１の前面から主制御装置３００の前面が見通せる。【選択図】図２
2006141653.tif 000002
【特許請求の範囲】
【請求項１】
遊技を進行するための諸制御を行う制御装置が収納される本体の前面開口を前面扉によって開閉可能に配した遊技台において、
前記制御装置が備える制御基板の前面側を覆い得る所要形状の電磁波遮蔽体と、
前記前面扉が閉止されているときには、前記電磁波遮蔽体が制御基板の前面側に配される電磁波遮蔽状態を保持し、前記前面扉が開放されることに連動して電磁波遮蔽体を制御基板の前面側から退避させ、制御基板の前面側を開放する開放状態に変換させる電磁波遮蔽体変換手段と、
を備えることを特徴とする遊技台。
【請求項２】
前記電磁波遮蔽体は、導電性の金属板により形成することを特徴とする請求項１に記載の遊技台。
【請求項３】
前記電磁波遮蔽体変換手段は、
前記電磁波遮蔽体の一端縁部を回動可能に支持する支持部と、
前記前面扉と前記電磁波遮蔽体の両方に接続され、前面扉が開放される際に生ずる牽引力で電磁波遮蔽体を回動させることにより、電磁波遮蔽体を電磁波遮蔽状態から開放状態に変換させ、前面扉が閉止される際に電磁波遮蔽体を戻り回動させることにより、電磁波遮蔽体を開放状態から電磁波遮蔽状態に変換させる連結作動部と、
から構成したことを特徴とする請求項１又は請求項２に記載の遊技台。
【請求項４】
前記連結作動部には、前面扉と電磁波遮蔽体との連結形態を変化させることで、前面扉の閉止時における電磁波遮蔽体の電磁波遮蔽状態および／または前面扉の開放時における電磁波遮蔽体の開放状態を調整する調整手段を設けたことを特徴とする請求項３に記載の遊技台。
【請求項５】
前記電磁波遮蔽体は、複数の電磁波遮蔽パネルを屈曲部を介して連設してなり、
前記電磁波遮蔽体変換手段は、電磁波遮蔽体の各電磁波遮蔽パネルを折り込みつつ開放状態に変換させるようにしたことを特徴とする請求項１〜請求項４の何れか１項に記載の遊技台。
【請求項６】
前記電磁波遮蔽体は、導電性を有する可撓性シートにより形成し、
前記電磁波遮蔽体変換手段は、
前記電磁波遮蔽体の一端縁部を固定する固定部と、
前記前面扉と前記電磁波遮蔽体の両方に接続され、前面扉が開放される際に生ずる牽引力で電磁波遮蔽体を撓ませることにより、電磁波遮蔽体を電磁波遮蔽状態から開放状態に変換させ、前面扉が閉止される際に撓んだ電磁波遮蔽体を復元させることにより、電磁波遮蔽体を開放状態から電磁波遮蔽状態に変換させる連結作動部と、
から構成したことを特徴とする請求項１に記載の遊技台。
【請求項７】
遊技を進行するための諸制御を行う制御装置が収納される本体の前面開口を前面扉によって開閉可能に配した遊技台における前記制御装置が備える制御基板の前面側を覆い得る所要形状の電磁波遮蔽体と、
前記電磁波遮蔽体が制御基板の前面側に配された電磁波遮蔽状態と、電磁波遮蔽体が制御基板の前面側から退避して制御基板の前面側を開放する開放状態とに変換可能な状態で、電磁波遮蔽体を遊技台の本体へ取り付ける電磁波遮蔽体取付部と、
電気的駆動源の駆動力により、前記電磁波遮蔽体の電磁波遮蔽状態と開放状態を自在に変換できる電磁波遮蔽体変換駆動手段と、
前記前面扉が本体の前面開口を閉止した閉状態と、前面扉が本体の前面開口から開いた開状態とを検知可能な検知手段と、
前記検知手段が開状態を検出することに基づいて、電磁波遮蔽体駆動手段を駆動させることで電磁波遮蔽体を開放状態に変換させ、前記検知手段が閉状態を検知することに基づいて、電磁波遮蔽体駆動手段を駆動させることで電磁波遮蔽体を閉状態に変換させるように制御する電磁波遮蔽体変換駆動制御手段と、
を備えることを特徴とする電磁波遮蔽装置。
【請求項８】
前記請求項７に記載の電磁波遮蔽装置を備える遊技台。
【発明の詳細な説明】
【技術分野】
【０００１】
本発明は、遊技を進行するための諸制御を行う制御装置が収納される本体の前面開口を前面扉によって開閉可能に配した遊技台および制御装置に誤作動を引き起こす電磁波を遮蔽する電磁波遮蔽装置に関するものである。
【背景技術】
【０００２】
スロットマシンなどの遊技台は、ＩＣチップや各種電子部品などが実装された制御基板により遊技進行が制御されており、この制御基板を所要形状の収納ケースに収納してなる制御装置が遊技台の内部に配置されている。そして、制御装置に誤作動を引き起こさせて不正に利益を獲得することを目的として、違法な電磁波を照射するゴト行為が行われることがあり、このような不正行為に対して遊技店で対処することは困難であった。
【０００３】
そこで、防磁又は防電波部材により形成したカバー部材を遊技機の筐体内部に設け、制御装置と接続ケーブルの全部又は一部を覆うことで、制御装置と接続ケーブルを電磁ノイズから保護するようにした遊技機が提案されている（例えば、特許文献１参照）。
【０００４】
【特許文献１】特開２００４−２５４９７５号公報
【０００５】
しかしながら、上記特許文献１に記載の遊技機においては、遊技機の前扉を開いたとき、カバー部材が制御装置の前面側に位置しているため、制御装置が視認不可能な状態となっており、制御装置を確認するためには、カバー部材を取り外す作業が必要となり、制御装置についての検査や保守作業が煩雑になる。加えて、法規上、「基板は、電子部分が装着された面を容易に見通すことができるように遊技機内に配置されていること」を遵守しなければならないので、特許文献１に記載のようなカバー部材を設けた遊技機は、適正な遊技機として認可されないため、現実的な電磁波対策とは言えない。
【発明の開示】
【発明が解決しようとする課題】
【０００６】
以上のような問題点に鑑み、本発明は、電磁波から遊技制御装置を良好に保護することが出来ると共に、遊技台の前面扉を開いたときには、遊技台本体内に装着した制御装置を良好に見通すことが出来る遊技台の提供を目的とするものである。
【課題を解決するための手段】
【０００７】
上記の課題を解決するために、請求項１に係る発明は、遊技を進行するための諸制御を行う制御装置が収納される本体の前面開口を前面扉によって開閉可能に配した遊技台において、前記制御装置が備える制御基板の前面側を覆い得る所要形状の電磁波遮蔽体と、前記前面扉が閉止されているときには、前記電磁波遮蔽体が制御基板の前面側に配される電磁波遮蔽状態を保持し、前記前面扉が開放されることに連動して電磁波遮蔽体を制御基板の前面側から退避させ、制御基板の前面側を開放する開放状態に変換させる電磁波遮蔽体変換手段と、を備えることを特徴とする。
【０００８】
また、請求項２に係る発明は、前記請求項１に記載の遊技台において、前記電磁波遮蔽体は、導電性の金属板により形成することを特徴とする。
【０００９】
また、請求項３に係る発明は、前記請求項１又は請求項２に記載の遊技台において、前記電磁波遮蔽体変換手段は、前記電磁波遮蔽体の一端縁部を回動可能に支持する支持部と、前記前面扉と前記電磁波遮蔽体の両方に接続され、前面扉が開放される際に生ずる牽引力で電磁波遮蔽体を回動させることにより、電磁波遮蔽体を電磁波遮蔽状態から開放状態に変換させ、前面扉が閉止される際に電磁波遮蔽体を戻り回動させることにより、電磁波遮蔽体を開放状態から電磁波遮蔽状態に変換させる連結作動部と、から構成したことを特徴とする。
【００１０】
また、請求項４に係る発明は、前記請求項３に記載の遊技台において、前記連結作動部には、前面扉と電磁波遮蔽体との連結形態を変化させることで、前面扉の閉止時における電磁波遮蔽体の電磁波遮蔽状態および／または前面扉の開放時における電磁波遮蔽体の開放状態を調整する調整手段を設けたことを特徴とする。
【００１１】
また、請求項５に係る発明は、前記請求項１〜請求項４の何れか１項に記載の遊技台において、前記電磁波遮蔽体は、複数の電磁波遮蔽パネルを屈曲部を介して連設してなり、前記電磁波遮蔽体変換手段は、電磁波遮蔽体の各電磁波遮蔽パネルを折り込みつつ開放状態に変換させるようにしたことを特徴とする。
【００１２】
また、請求項６に係る発明は、前記請求項１に記載の遊技台において、前記電磁波遮蔽体は、導電性を有する可撓性シートにより形成し、前記電磁波遮蔽体変換手段は、前記電磁波遮蔽体の一端縁部を固定する固定部と、前記前面扉と前記電磁波遮蔽体の両方に接続され、前面扉が開放される際に生ずる牽引力で電磁波遮蔽体を撓ませることにより、電磁波遮蔽体を電磁波遮蔽状態から開放状態に変換させ、前面扉が閉止される際に撓んだ電磁波遮蔽体を復元させることにより、電磁波遮蔽体を開放状態から電磁波遮蔽状態に変換させる連結作動部と、から構成したことを特徴とする。
【００１３】
請求項７に係る発明は、遊技を進行するための諸制御を行う制御装置が収納される本体の前面開口を前面扉によって開閉可能に配した遊技台における前記制御装置が備える制御基板の前面側を覆い得る所要形状の電磁波遮蔽体と、前記電磁波遮蔽体が制御基板の前面側に配された電磁波遮蔽状態と、電磁波遮蔽体が制御基板の前面側から退避して制御基板の前面側を開放する開放状態とに変換可能な状態で、電磁波遮蔽体を遊技台の本体へ取り付ける電磁波遮蔽体取付部と、電気的駆動源の駆動力により、前記電磁波遮蔽体の電磁波遮蔽状態と開放状態を自在に変換できる電磁波遮蔽体変換駆動手段と、前記前面扉が本体の前面開口を閉止した閉状態と、前面扉が本体の前面開口から開いた開状態とを検知可能な検知手段と、前記検知手段が開状態を検出することに基づいて、電磁波遮蔽体駆動手段を駆動させることで電磁波遮蔽体を開放状態に変換させ、前記検知手段が閉状態を検知することに基づいて、電磁波遮蔽体駆動手段を駆動させることで電磁波遮蔽体を閉状態に変換させるように制御する電磁波遮蔽体変換駆動制御手段と、を備えることを特徴とする。
【００１４】
請求項８に係る発明は、前記請求項６に記載の電磁波遮蔽装置を備えることを特徴とする。
【発明の効果】
【００１５】
請求項１に係る遊技台によれば、遊技台の前面扉が閉止されているとき、電磁波遮蔽体変換手段は、電磁波遮蔽体が制御基板の前面側に配される電磁波遮蔽状態を保持するので、不正な遊技者が遊技台の前面から電磁波を照射しても、その電磁波は電磁波遮蔽体により吸収・反射され、制御装置の制御基板上に実装されたＩＣチップや各種電子部品に誤動作を引き起こすことを効果的に防止できる。また、遊技台の前面扉が開放されると、これに連動して、電磁波遮蔽体変換手段は電磁波遮蔽体を制御基板の前面側から退避させた開放状態とするので、検査や保守のために前面扉を開いたときには、手作業で電磁波遮蔽体を移動させなくても、遊技台本体内に装着した制御装置を良好に見通すことが出来る状態となる。
【００１６】
また、請求項２に係る遊技台によれば、電磁波遮蔽体は、導電性の金属板により形成するので、加工が容易で安価な材料を選択し易く、低コストの電磁波遮蔽体を採用できる。
【００１７】
また、請求項３に係る遊技台によれば、電磁波遮蔽体変換手段は、電磁波遮蔽体の一端縁部を回動可能に支持する支持部と、前面扉と電磁波遮蔽体の両方に接続され、前面扉が開放される際に生ずる牽引力で電磁波遮蔽体を回動させることにより、電磁波遮蔽体を電磁波遮蔽状態から開放状態に変換させ、前面扉が閉止される際に電磁波遮蔽体を戻り回動させることにより、電磁波遮蔽体を開放状態から電磁波遮蔽状態に変換させる連結作動部と、から構成したので、電気的駆動源を別途設けることなく電磁波遮蔽体変換手段による電磁波遮蔽体の状態変換動作を実現でき、簡易な構成で低コストに電磁波遮蔽体変換手段を採用できる。
【００１８】
また、請求項４に係る遊技台によれば、連結作動部には、前面扉と電磁波遮蔽体との連結形態を変化させることで、前面扉の閉止時における電磁波遮蔽体の電磁波遮蔽状態および／または前面扉の開放時における電磁波遮蔽体の開放状態を調整する調整手段を設けたので、電磁波遮蔽体変換手段によって電磁波遮蔽体の適切な状態変換を期せるように調整することができ、遊技台の機種や製造メーカーが異なっていても、電磁波遮蔽体および電磁波遮蔽体変換手段を装備できる汎用性の高いものとなる。
【００１９】
また、請求項５に係る遊技台によれば、電磁波遮蔽体は、複数の電磁波遮蔽パネルを屈曲部を介して連設してなり、電磁波遮蔽体変換手段は、電磁波遮蔽体の各電磁波遮蔽パネルを折り込みつつ開放状態に変換させるようにしたので、電磁波遮蔽体変換手段により開放状態に変換された電磁波遮蔽体はコンパクトに収まることとなり、開放状態における電磁波遮蔽体の収容スペースを抑制でき、比較的大型の制御基板に対応させるために大型の電磁波遮蔽体を採用した場合でも、無理なく開放状態に変換させることが可能となるし、本体内部のハーネス配置構造などから空間的な制約がある場合でも、制約の範囲内で効果的に電磁波遮蔽体を開放状態に変換させることができる。
【００２０】
また、請求項６に係る遊技台によれば、電磁波遮蔽体は、導電性を有する可撓性シートにより形成し、電磁波遮蔽体変換手段は、電磁波遮蔽体の一端縁部を固定する固定部と、前面扉と電磁波遮蔽体の両方に接続され、前面扉が開放される際に生ずる牽引力で電磁波遮蔽体を撓ませることにより、電磁波遮蔽体を電磁波遮蔽状態から開放状態に変換させ、前面扉が閉止される際に撓んだ電磁波遮蔽体を復元させることにより、電磁波遮蔽体を開放状態から電磁波遮蔽状態に変換させる連結作動部と、から構成したので、電磁波遮蔽体である可撓性シートが有する変形の自由度の高さから、電磁波遮蔽状態や開放状態を柔軟に設定することが出来る。
【００２１】
また、請求項７に係る電磁波遮蔽装置によれば、検知手段による前面扉の閉状態と開状態の検出に基づいて、電磁波遮蔽体変換駆動制御手段が電磁波遮蔽体変換駆動手段の動作制御を行うことにより、自動で電磁波遮蔽体を電磁波遮蔽状態と開放状態とに変換させることができ、遊技台の前面扉が閉止されているときは、電磁波遮蔽体が制御基板の前面側に配される電磁波遮蔽状態を保持して電磁波を遮蔽し、また、遊技台の前面扉が開放されると、電磁波遮蔽体を制御基板の前面側から退避させた開放状態とし、検査や保守のために前面扉を開いたときには、手作業で電磁波遮蔽体を移動させなくても、遊技台本体内に装着した制御装置を良好に見通すことが出来る。
【００２２】
また、請求項８に係る遊技台によれば、請求項７に係る電磁波制御装置を備えるので、検知手段による前面扉の閉状態と開状態の検出に基づいて、電磁波遮蔽体変換駆動制御手段が電磁波遮蔽体変換駆動手段の動作制御を行うことにより、自動で電磁波遮蔽体を電磁波遮蔽状態と開放状態とに変換させることができ、遊技台の前面扉が閉止されているときは、電磁波遮蔽体が制御基板の前面側に配される電磁波遮蔽状態を保持して電磁波を遮蔽し、また、遊技台の前面扉が開放されると、電磁波遮蔽体を制御基板の前面側から退避させた開放状態とし、検査や保守のために前面扉を開いたときには、手作業で電磁波遮蔽体を移動させなくても、遊技台本体内に装着した制御装置を良好に見通すことが出来る。
【発明を実施するための最良の形態】
【００２３】
以下、本発明の実施形態を、添付図面に基づいて詳細に説明する。まず、本発明に係る遊技台の具体的構造について説明しておく。
【００２４】
〈全体の構成〉
図１は、本発明の一実施形態に係るスロットマシン１００の外観を示す斜視図である。図１に示すように、スロットマシン１００の中央内部には、外周面に複数種類の絵柄（「７」、「Ｂａｒ」、「ベル」、「リプレイ」等の文字や記号：図示省略）を配列した円筒状のリールが３個（左リール１１０、中リール１１１、右リール１１２）収納され、本体２０１の内部で回転できるように構成されている。
【００２５】
前面扉１０１には、リール表示窓１１３が設けられており、リール１１０〜１１２を正面から眺めると、これに施された絵柄がリール表示窓１１３から縦方向に３つ見えるようになっている。つまり、全リール１１０〜１１２が停止した場合、遊技者は、３×３の合計９個の絵柄を見ることができる。これらのリール１１０〜１１２が回転し、停止することにより、様々な絵柄の組み合せがリール表示窓１１３に表示されることになる。なお、本実施形態では、３個のリールを備えるものとしたが、リールの数やリールの設置位置はこれに限定されるものではない。
【００２６】
各リール１１０〜１１２の裏側には、リール表示窓１１３上に表示される個々の絵柄を照らすためのバックライト（図示せず）が配置されている。バックライトは、例えば、７色（赤、緑、青紫の三原色と、白色等をはじめとするこれらの混合色）の光を発することが可能であり、各原色に対応したＬＥＤ等を含んで構成される。
【００２７】
入賞ライン表示ランプ１２０は、遊技毎に有効となる入賞ライン１１４を示すランプである。有効となる入賞ライン１１４は、スロットマシン１００に投入された遊技媒体（本実施形態ではメダルを想定する。）の枚数によって変化する。例えば、図１に示すように５本の入賞ライン１１４を有する場合、メダルを１枚投入したときは中段の水平入賞ライン、２枚投入したときは、上段の水平入賞ラインおよび下段の水平入賞ラインを加えた３つの入賞ライン、３枚投入したときは更に２本の斜めの入賞ラインを加えた５ラインが有効となり、有効な入賞ライン１１４上に揃った絵柄の組み合せにより入賞が判断されることとなる。勿論、入賞ラインの数は５本に限定されるものではない。
【００２８】
スタートランプ１２１は、リール１１０〜１１２が回転することができる状態にあることを遊技者に知らせるランプである。再遊技ランプ１２２は、入賞役である再遊技に入賞したとき（例えば、リプレイ−リプレイ−リプレイの再遊技絵柄の組み合せが入賞ライン１１４上に揃ったとき）、遊技者へ次の遊技が再遊技であることを知らせるランプである。再遊技の場合、次遊技において遊技媒体であるメダルの投入が免除される。
【００２９】
告知ランプ１２３は、特別な入賞役（例えば、ビッグボーナス（ＢＢ）やレギュラーボーナス（ＲＢ））に内部当選した状態にあることを遊技者に報知するランプである。メダル投入ランプ１２４は、遊技開始にあたって遊技者にメダルの投入が必要であることを報知するランプである。
【００３０】
メダル投入枚数表示ランプ１２５は、遊技者が投入したメダル枚数を表示するランプである。本実施形態では、１回の遊技に最大３枚までメダル投入できるので、縦に配置した３つのランプを用いてメダル投入枚数を表示している。無論、ランプで表示する他に７セグメント表示器等で直接メダル投入枚数を表示しても良い。
【００３１】
払出枚数表示器１２６は、メダルの払い出しのある何らかの入賞役に入賞したとき、遊技者へ払い出されるメダルの枚数を表示する表示器である。遊技回数表示器１２７は、ビッグボーナスゲーム中の一般ゲームの回数等を表示する表示器である。貯留枚数表示器１２８は、電子的に貯留（クレジット）しているメダルの枚数を表示する表示器である。演出用ランプ１２９は、遊技の興趣を高めるための演出に使用されるランプである。
【００３２】
メダル投入ボタン１３１，１３２は、貯留されたメダルをスロットマシン１００へ電子的に投入するための投入ボタンであり、いわゆるベットボタンと呼ばれているものである。本実施形態では、３枚メダル投入ボタン１３１（最大枚数のメダルを投入できる、いわゆるマックスベットボタン）と、１回押下するごとに１枚のメダルを投入する１枚メダル投入ボタン１３２とを有し、これらのボタンのいずれかを押下することにより遊技に必要な１〜３枚のメダルがスロットマシン１００へ電子的に投入される。２枚のメダルを投入する場合は、１枚メダル投入ボタン１３１を２回押下することとなる。投入されたメダル枚数分は、現在の貯留枚数から減算されて残枚数が貯留枚数表示器１２８に表示される。
【００３３】
メダル投入口ブロック１３３は、遊技を開始するに当たって遊技者が直接メダルを投入するための開口を有する。メダルを直接投入した際に、メダル投入口直下にあるメダルセレクターユニット（図示せず）内にメダルが詰まってしまった場合は、メダルキャンセルスイッチ１３３ａを操作することによってメダルの詰まりを解消させる。スタートレバー１３５は、遊技の開始操作として、リール１１０〜１１２の回転を開始させるレバー型のスイッチである。
【００３４】
停止ボタンユニット１３６には、３つの停止ボタン（左停止ボタン１３６ａ，中停止ボタン１３６ｂ，右停止ボタン１３６ｃ）が設けられている。各停止ボタンは、押下することによって対応するリール１１０〜１１２を停止させるボタン型のスイッチである。具体的には、左停止ボタン１３６ａを操作することによって左リール１１０が、中停止ボタン１３６ｂを操作することによって中リール１１１が、右停止ボタン１３６ｃを操作することによって右リール１１２がそれぞれ停止する。
【００３５】
各停止ボタンの内部にはランプ（図示せず）が設けられており、スタートレバー１３５が操作された後、リール１１０〜１１２の停止操作が可能な状態になると全ランプが点灯し、遊技者に停止操作が可能になったことを報知する。各停止ボタンのランプは各停止ボタンが押下される毎に消灯する。無論、停止操作可能な状態とその他の状態とでランプの発光色を変化させるように構成することもできる。
【００３６】
精算ボタン１３８は、遊技者が獲得したメダルを精算して排出する精算処理を行う場合に押下されるボタンである。
【００３７】
キー孔１３９は、扉開閉用のキーを差し込む孔で、キーを差し込んで時計方向に回すとロックが解除され、スロットマシン１００の前面扉１０１を開けることができる。メダル排出口１６５は、メダルを排出するための開口であり、入賞時に払い出されるメダルはここから排出される。排出されたメダルは、受け皿１６０に溜まるようになっている。
【００３８】
上部ランプ１９０、サイドランプ１５１，１５２、中央ランプ１５３，１５４、腰部ランプ１５５，１５６、下部ランプ１５７，１５８は、遊技を盛り上げるための演出用のランプであり、遊技状態に応じて点灯／消灯／点滅する。また、図示を省略したタイトルパネルランプによりタイトルパネル１４０を照明する。本実施形態では、受皿１６０を透光性材料で構成し、受皿取り付け面からランプ光を入射させることで上記演出用のランプと同様の効果を発揮させるように構成している。また、受皿１６０には、着脱可能に構成した灰皿ユニット１７０が設けられている。
【００３９】
また、スロットマシンの上部（リール表示窓１１３の上方）中央部には、遊技に関する各種の情報（ゲームを盛り上げるためキャラクタ等を登場させるゲーム画面、スロットマシンの内部で異常が発生した場合にエラーの内容を表示するエラー画面など）を表示することができるＬＣＤ１８０が設けられており、このＬＣＤ１８０を用いて、各種スイッチ類（例えば、３枚メダル投入ボタン１３１や１枚メダル投入ボタン１３２，スタートレバー１３５，停止ボタン１３６ａ〜１３６ｃ，精算ボタン１３８等）に生じた動作不良に関する情報も報知する。
【００４０】
〈内部の構成〉
次に、本実施形態に係るスロットマシン１００の内部構成について説明する。図２は、前面扉１０１を本体２０１から開いた状態の斜視図であり、本図においては、本発明の特徴的構成である電磁波遮蔽体と電磁波遮蔽体変換手段を理解し易いように、前面開放の本体２０１を構成する上板２０１ａを取り外した状態に描いてある。本来は、この上板２０１ａが、背板２０１ｂと右側板２０１ｃと左側板２０１ｄの上端縁に装着されている。
【００４１】
本体２０１の内部には、ほぼ水平方向のリール固定台２１０を配設し、リール１１０〜１１２がリール表示窓１１３の裏面に臨む位置でリールユニット２２０が固定されるようになっている。このリール固定台２１０の下部空間には、各部への駆動電力を供給する電源装置、メダル投入口ブロック１３３より投入されたメダルを貯留すると共に受皿１６０へメダルを払い出すメダルホッパー２３０、メダルホッパー２３０から溢れたメダルを受け入れて貯留する補助タンク２４０等が収容されている。
【００４２】
また、本体２０１の内部の適所（例えば、上記リールユニット２２０の上方となる背板２０１ｂの前面）には、主として遊技制御機能を実現する主制御装置３００を固定する。本体２０１の内部における側壁部（例えば、前面扉１０１の蝶番機構の設けられた側である左側板２０１ｄの内側面）には、主として演出機能を実現する副制御部４００を固定し、この副制御装置４００が作動させるＬＣＤ１８０等の演出用デバイスと、前面扉１０１の裏面上部に設けられたＬＣＤ制御基板１９１を介して接続される。
【００４３】
なお、上記主制御装置３００や副制御装置４００は、ＩＣチップや各種電子部品等が実装された制御基板を透明な樹脂製収納ケースに収納したものである。特に、主制御装置３００は遊技進行の諸制御を行う重要な装置であり、遊技進行に用いられるプログラムが書き換えられて、射幸心を煽るような遊技内容に改竄されてしまうと、健全な遊技台としての機能を損なうので、そのような改竄が施されたか否かを容易に確認できるように、前面扉１０１を開いたときには、主制御装置３００の前面側（制御基板のパーツ実装面）が見通せるように、リールユニット２２０よりも上方となる背板２０１ｂの前面に取り付けられている。このため、主制御装置３００に誤動作を引き起こす電磁波を遊遊技客が照射する不正行為に対して無防備となってしまう。
【００４４】
そこで、本実施形態に係る遊技台１００は、「制御装置が備える制御基板の前面側を覆い得る所要形状の電磁波遮蔽体」と、「前面扉が閉止されているときには、電磁波遮蔽体が制御装置の前面側に配される電磁波遮蔽状態を保持し、前面扉が開放されることに連動して電磁波遮蔽体を制御装置の前面側から退避させ、制御装置の前面側を開放する開放状態に変換させる電磁波遮蔽体変換手段」とを備えるものとした。
【００４５】
〈電磁波遮蔽体と電磁波遮蔽体変換手段の第１構成例〉
上記電磁波遮蔽体の第１構成例である電磁波遮蔽板５００は、加工が容易で安価な材料を選択し易い金属板を用いて形成したもので、主制御装置３００の前面側を覆い得る横長の前板部５０１と、該前板部５０１の左右両側方を各々後方へ屈曲させた側板部５０２，５０２を備えることで、主制御装置３００の前面側および左右両側方を電磁波から遮蔽する機能を持たせた。
【００４６】
また、上記電磁波遮蔽板５００を電磁波遮蔽状態と開放状態とに変換する電磁波遮蔽体変換手段としては、電磁波遮蔽板５００の前板部５０１の上端縁を垂下させた状態で回動可能に支持するように上板２０１ａの底面に取り付けられるヒンジ部６０１と、電磁波遮蔽板５００の適所に設けた従動接続部５０３と前面扉１０１の裏面側上部適所に設けた作動接続部材１９２（図３（ａ）を参照）とに連結される連結作動紐６０２（例えば、繊維製の紐や金属製ワイヤ等の可撓性を有する紐）と、から構成する。
【００４７】
すなわち、ヒンジ部６０１は「電磁波遮蔽体の一端縁部を回動可能に支持する支持部」として機能し、連結作動紐６０２は「前面扉と電磁波遮蔽体の両方に接続され、前面扉が開放される際に生ずる牽引力で電磁波遮蔽体を回動させることにより、電磁波遮蔽体を電磁波遮蔽状態から開放状態に変換させ、前面扉が閉止される際に電磁波遮蔽体を戻り回動させることにより、電磁波遮蔽体を開放状態から電磁波遮蔽状態に変換させる連結作動部」として機能する。
【００４８】
このように、本構成例の電磁波遮蔽体変換手段においては、前面扉１０１が閉じられているとき、図４（ａ）および図５（ａ１），（ａ２），（ａ３）に示すように、電磁波遮蔽板５００の前板部５０１が主制御装置３００の前面に位置する従動接続部５０３と前面扉１０１の裏面側に設けた作動接続部材１９２とを結ぶ直線距離が連結作動紐６０２の長さとほぼ等しくなるように設定しておくことで、金属製の電磁波遮蔽板５００は自重により主制御装置３００の前面および左右両側方を覆う状態を保持することとなり、電磁波遮蔽状態が実現される。一方、前面扉１０１が開けられたとき、図４（ｂ）および図５（ｂ１），（ｂ２），（ｂ３）に示すように、作動接続部材１９２に接続された連結作動紐６０２に牽引されて金属製の電磁波遮蔽板５００が前面側へ上方回動してゆき、主制御装置３００の前面側から電磁波遮蔽板５００が退くので、本体２０１の前面から主制御装置３００の前面が見通せる開放状態に変換される。
【００４９】
従って、遊技台１００の前面扉１０１が閉止されているとき、連結作動紐６０２には電磁波遮蔽板５００を引き起こす牽引力が作用しないので、電磁波遮蔽板５００が主制御装置３００の前面側に配される電磁波遮蔽状態を保持し、不正な遊技者が遊技台の前面から電磁波を照射しても、その電磁波は電磁波遮蔽板５００により吸収・反射され、主制御装置３００の制御基板上に実装されたＩＣチップや各種電子部品に誤動作を引き起こすことを効果的に防止できる。また、遊技台１００の前面扉１０１が開放されると、これに連動して、連結作動紐６０２には電磁波遮蔽板５００を引き起こす牽引力が作用するので、電磁波遮蔽板５００を主制御装置３００の前面側から退避させた開放状態に変換させ、検査や保守のために前面扉１０１を開いたときには、手作業で電磁波遮蔽板５００を移動させなくても、本体２０１内に装着した主制御装置３００を良好に見通すことが出来る状態となる。
【００５０】
なお、上記連結作動紐６０２の端部にはフック６０２ａを設けておき、前面扉１０１の裏面側適所にビス止めされた作動接続部材１９２に形成した係止孔１９２ａにフック６０２ａを引っ掛けて係止する構造とし（図３（ａ）を参照）、連結作動紐６０２の取り外しを容易に行えるようにした。同様に、電磁波遮蔽板５００の従動接続部５０３に形成した係止孔５０３ａに連結作動紐６０２のフック６０２ａを引っ掛けて係止する（図４（ａ），（ｂ）を参照）。
【００５１】
また、本構成例においては可撓性を有する連結作動紐６０２を連結作動部として用いることで、作動接続部材１９２と従動接続部５０３の形成位置に多少の誤差が生じていても、その誤差を吸収し易いものとしたが、これに限らず、硬質で長尺な棒を連結作動部として用いても良い。斯くすれば、前面扉１０１を閉じて電磁波遮蔽板５００を電磁波遮蔽状態に復帰させる際に、前面扉１０１を閉じる力が連結作動部を介して伝達され、電磁波遮蔽板５００を回動復帰させる力として作用するので、ヒンジ部６０１の摺動抵抗が高くて電磁波遮蔽板５００の自重のみで回動復帰し難い場合でも、確実に電磁波遮蔽板５００を電磁波遮蔽状態へ変換させることが可能となる。なお、連結作動部に硬質で長尺な棒を用いた場合、作動接続部材１９２と従動接続部５０３の形成位置に誤差があると、連結作動部の連結に支障があるので、例えば、図３（ｂ），（ｃ）に示すように比較的広い面積の貼着部１９３ｂを有する作動接続部材１９３を用い、貼着部１９３ｂの裏面から保護紙１９３ｃを剥がすと現れる貼着面１９３ｄによって、前面扉１０１裏面の適切な位置に作動接続部材１９３を貼り付けるようにしても良い。
【００５２】
さらに、本構成例における電磁波遮蔽板５００は、ソリッドな金属板より構成したが、これに限らず、金網(ワイヤ・メッシュ、エキスパンド・メタル、パンチング・メタルなど)、金属膜(金属箔、蒸着、メッキ)、金属溶射、導電塗装、導電性プラスチックなどで電磁遮蔽機能を実現するようにしても良い。また、電磁波遮蔽板５００の形状も本構成例に限定されるものではなく、左右側板部５０２の無いフラットな板材のみでも良いし、主制御装置３００の外形にマッチングする複雑な形状であっても良い。
【００５３】
〈電磁波遮蔽体と電磁波遮蔽体変換手段の第２構成例〉
図６に示すのは、電磁波遮蔽体と電磁波遮蔽体変換手段の第２構成例であり、電磁波遮蔽体としての電磁波遮蔽板５１０の一側に連結突起５１４を設け、電磁波遮蔽体変換手段は、ヒンジ部６１１によって回動可能に支持された電磁波遮蔽板５１０と前面扉１０１の作動接続部材とを直接接続せずに、連結作動紐６１２とパンタグラフ状のリンク機構６１３を用いて接続するものとした。
【００５４】
上記リンク機構６１３は、リンク保持部６１４によって側壁内面適所に固定される板状の下部平行アーム６１３ａと、この下部平行アーム６１３ａと平行を保って移動する板状の上部平行アーム６１３ｂと、これら上下平行アーム６１３ａ，６１３ｂの前側端部へ回動可能に接続される板状の前部回動アーム６１３ｃと、前部回動アーム６１３ｃと平行を保持するように上下平部行アーム６１３ａ，６１３ｂの後側端部へ回動可能に接続される板状の後部回動アーム６１３ｄと、上部水平アーム６１３ｂと前部回動アーム６１３ｃの回動軸に後端部が軸着される板状の作動アーム６１３ｅとから成る。
【００５５】
そして、作動アーム６１３ｅの前端側に連結作動紐６１２が接続され、前面扉１０１が閉じられて連結作動紐６１２がリンク機構６１０に牽引力を作用していないとき、前後部回動アーム６１３ｃ，６１３ｄが後方へ水平近くまで倒れ込んで、下部水平アーム６１３ａと上部水平アーム６１３ｂが近接し、且つ、上部水平アーム６１３ｂの上辺部が電磁波遮蔽板５１０の連結突起５１４に下方から押し当たる状態となる。これが電磁波遮蔽板５１０の電磁波遮蔽状態である（図６（ａ）を参照）。
【００５６】
このように、ヒンジ部６１１と連結作動紐６１２とリンク機構６１３とから構成した電磁波遮蔽体変換手段においては、前面扉１０１が開かれて、連結作動紐６１２が引かれると、作動アーム６１３ｅが上部水平アーム６１３ｂと前部回動アーム６１３ｃの軸部を前側上方へ引き上げて行くこととなる。そのため、上部水平アーム６１３ｂが前側上方へ移動するに伴って、電磁波遮蔽板５１０の連結突起５１４には、上側へ押し上げられる力が作用し、ヒンジ部６１１によって回動可能となている電磁波遮蔽板５００は前側上方へ回動して行き、電磁波遮蔽板５１０が主制御装置３００の前面側から退避した開放状態となる（図６（ｂ）を参照）。
【００５７】
本構成例のように、リンク機構６１３を用いた電磁波遮蔽体変換手段を採用すると、電磁波遮蔽板の移動角度を９０゜近くにすることができ、上述した第１構成例の電磁波遮蔽体変換手段を採用した場合よりも、主制御装置３００の前面側の見通しを一層良好ならしめることが出来る。なお、リンク機構６１３の構成はこれに限らず、前面扉１０１が解放される際の牽引力を電磁波遮蔽体５１０を回動させる力に変換できれば、公知既存の如何様な構成を態様しても構わない。また、連結作動紐６１２を介在させずに、リンク機構６１３が前面扉１０１に取り付けられるような構成としても良い。
【００５８】
〈電磁波遮蔽体と電磁波遮蔽体変換手段の第３構成例〉
図７に示すのは、電磁波遮蔽体と電磁波遮蔽体変換手段の第３構成例であり、縦方向の長さ調整機能を設けた電磁波遮蔽体としての電磁波遮蔽部材５２０の上端縁をヒンジ部６２１によって回動可能に支持し、前記第１構成例の連結作動部と同様な連結作動紐６２２によって電磁波遮蔽部材５２０と前面扉１０１とを接続したものである。
【００５９】
そして、本第３構成例においても、遊技台１００の前面扉１０１が閉止されているとき、連結作動紐６２２には電磁波遮蔽部材５２０を引き起こす牽引力が作用しないので、電磁波遮蔽部材５２０が主制御装置３００の前面側に配される電磁波遮蔽状態を保持し、不正な遊技者が遊技台の前面から電磁波を照射しても、その電磁波は電磁波遮蔽部材５２０により吸収・反射され、主制御装置３００の制御基板上に実装されたＩＣチップや各種電子部品に誤動作を引き起こすことを効果的に防止できる。また、遊技台１００の前面扉１０１が開放されると、これに連動して、連結作動紐６２２には電磁波遮蔽部材５２０を引き起こす牽引力が作用するので、電磁波遮蔽部材５２０を主制御装置３００の前面側から退避させた開放状態に変換させ、検査や保守のために前面扉１０１を開いたときには、手作業で電磁波遮蔽部材５２０を移動させなくても、本体２０１内に装着した主制御装置３００を良好に見通すことが出来る状態となる。
【００６０】
而して、この第３構成例における電磁波遮蔽部材５２０は、第１遮蔽板部５２１と第２遮蔽板部５２２とを長さ調整部５２３によってスライド可能に保持した構造としてあり、第２遮蔽板部５２２を下方へ引き出すことで、電磁波遮蔽部材５２０の面積を変化させることが可能である。すなわち、遊技台１００の機種によって主制御装置３００を装着する空部（リールユニット２２０の上方に生じる空部）の縦長が異なっていた場合であっても、電磁波遮蔽部材５２０を用いておけば、主制御装置３００の前面側を必要十分に覆い得るようなサイズ調整を簡便に行うことができ、利便性が高い。なお、電磁波遮蔽部材５２０側に連結作動紐６２２を接続する従動接続部５２４は、第１遮蔽板部５２１に設ける場合に限らず、第２遮蔽板部５２２に設けても良いし、長さ調整部５２３に設けても良い。
【００６１】
〈電磁波遮蔽体と電磁波遮蔽体変換手段の第４構成例〉
図８に示すのは、電磁波遮蔽体と電磁波遮蔽体変換手段の第４構成例であり、折り込み可能な電磁波遮蔽体としての電磁波遮蔽部材５３０の上端縁をヒンジ部６３１によって回動可能に支持し、連結作動紐６３２によって電磁波遮蔽部材５３０と前面扉１０１とを接続し、電磁波遮蔽部材５３０を折り込みつつ開放状態に変換させるようにしたものである。
【００６２】
本構成例における電磁波遮蔽部材５３０は、上部電磁波遮蔽パネル５３１と下部電磁波遮蔽パネル５３２とを蝶番機構等を採用した屈曲部５３３を介して縦方向に連設し、例えば、下部電磁波遮蔽パネル５３２の下部裏面側適所に設けた従動接続部５３４を形成し、この従動接続部５３４に連結作動紐６３２の一端が接続されるものとした。この連結作動紐６３２は、例えば、上部電磁波遮蔽パネル５３１の上部適所に開設した連通孔５３５から電磁波遮蔽部材５３０の前側に抜け、前面板１０１の作動接続部材に連結される。
【００６３】
このように、本構成例の電磁波遮蔽体および電磁波遮蔽体変換手段においては、前面扉１０１が閉じられているとき、電磁波遮蔽部材５３０が折れ曲がることなく自重により主制御装置３００の前面を覆う状態を保持することとなり、電磁波遮蔽状態が実現される（図８（ａ））。一方、前面扉１０１が開けられたとき、前面扉１０１の作動接続部材と電磁波遮蔽部材５３０の連通孔５３５とを結ぶ直線距離が長くなるために、電磁波遮蔽部材５３０の裏面側から連結作動紐６３２が送り出されて行くこととなり、従動接続部５３４から連通孔５３５までの紐長さが短くなるために、上部電磁波遮蔽パネル５３１の連通孔５３３と下部電磁波遮蔽パネル５３２の従動接続部５３４とが近接するように、屈曲部５３４で折れ曲がりつつ主制御装置３００の前面から退避し、本体２０１の前面から主制御装置３００の前面が見通せる開放状態に変換される（図８（ｂ）を参照）。
【００６４】
本構成例のように、上部電磁波遮蔽パネル５３１と下部電磁波遮蔽パネル５３２とが折り込まれつつ上方へ移動するような状態変換を採用すれば、開放状態に変換された電磁波遮蔽部材５３０はコンパクトに収まることとなる。しかも、上述した第１〜第３構成例のように回動軸回りに電磁遮蔽体を回動させて状態変換を行う手法を採用した場合、電磁波遮蔽体の軸着側から非軸着側端部までの距離が長くなると、それだけ状態変換広いスペースを電磁波遮蔽体の状態変換のために確保しておかなければならないが、本体２０１内部の各装置間を接続するハーネスが障害となって十分なスペースを確保できない場合に、本第４構成例を採用すれば、スペース的な制約の範囲内で効果的に電磁波遮蔽部材５３０を状態変換させることができる。
【００６５】
なお、上述した第４構成例においては、上部電磁波遮蔽パネル５３１と下部電磁波遮蔽パネル５３２から電磁波遮蔽部材５３０構成するものとしたが、３以上の電磁波遮蔽パネルに分割し、各電磁波遮蔽パネルを屈曲部で連設するようにしても良い。
【００６６】
〈電磁波遮蔽体と電磁波遮蔽体変換手段の第５構成例〉
図９に示すのは、電磁波遮蔽体と電磁波遮蔽体変換手段の第５構成例であり、上部電磁波遮蔽パネル５４１と下部電磁波遮蔽パネル５４２とを屈曲部５４３を介して縦方向に連設した電磁波遮蔽体である電磁波遮蔽部材５４０の上端縁をヒンジ部６４１によって回動可能に支持し、一端が電磁波遮蔽部材５４０の従動接続部５４４に連結される第１連結作動棒６４２と一端が前面扉１０１の作動接続部材に連結される第２連結作動棒６４３をバネ６４４を介して接続し、第１連結作動棒６４２と第２連結作動棒６４３が所定の角度を保つように付勢される連結作動部を構成した。
【００６７】
上記バネ６４４は、コイルスプリングの一端部である第１接続部６４４ａと他端部である第２接続部６４４ｂが所定の角度を成すようにしたもので（図９（ａ）における拡大部を参照）、第１接続部６４４ａを第１連結作動棒６４２に、第２接続部６４４ｂを第２連結作動部６４３にそれそれ接続することで、電磁波遮蔽部材５４０の従動接続部５４４と前面扉１０１の作動接続部材を一本の連結作動棒で接続した場合よりも、下部電磁波遮蔽パネル５４２と第１連結作動棒６４２の成す角度αが小さくなるように、第１連結作動棒６４２と第２連結作動棒６４３が屈曲接続された屈曲状態を生ぜしめることができる。この屈曲状態においては、第１連結作動棒６４２と第２連結作動棒６４３の下方の空間を広くすることができる。
【００６８】
斯く構成した第５構成例の電磁波遮蔽体および電磁波遮蔽体変換手段においては、前面扉１０１が閉じられているとき、第１作動連結棒６４２と第２作動連結棒６４３が屈曲接続された屈曲状態となるように設定しておくことで、電磁波遮蔽部材５４０は自重により主制御装置３００の前面を覆う状態を保持することとなり、電磁波遮蔽状態が実現される（図９（ａ）を参照）。一方、前面扉１０１が開けられたとき、その牽引力が第２連結作動棒６４３およびバネ６４４を介して第１連結作動棒６４２に伝達され、下部電磁波遮蔽パネル５４２の下端が前側上方へ引き上げられてゆき、この下部電磁波遮蔽パネル５４２の回動動作によって上部電磁波遮蔽パネル５４１も前側上方へ回動してゆき、主制御装置３００の前面側から電磁波遮蔽部材５４０が退くので、本体２０１の前面から主制御装置３００の前面が見通せる開放状態に変換される（図９（ｂ）を参照）。
【００６９】
なお、本構成例の電磁波遮蔽体および電磁波遮蔽体変換手段によれば、バネ６４４の特性（第１接続部６４４ａと第２接続部６４４ｂの成す角度、捩りバネのトルク負荷など）、第１作動連結棒６４２と第２作動連結棒６４３との接続部位、第１連結棒６４２と下部電磁波遮蔽パネル５４２との接続部位、上部電磁波遮蔽パネル５４１と下部電磁波遮蔽パネル５４２との連設部位、といった種々の要因を変えることで、電磁波遮蔽部材５４０の最下端部が通過して行く軌跡を様々に変化させることができ、例えば、リールユニット２２０上にあるハーネスを効果的に避けつつ電磁波遮蔽部材５４０を電磁波遮蔽状態から開放状態（もしくは開放状態から電磁波遮蔽状態）へ変換させるような設計を容易に行うことができる。
【００７０】
さらに、本構成例の電磁波遮蔽体変換手段の連結作動部は、バネ６４４を介して第１連結作動棒６４２と第２連結作動棒６４３を接続する構造とすることで、前面扉１０１と電磁波遮蔽部材５４０との連結形態を様々に変化させることが可能となる。
【００７１】
例えば、スロットマシン１００の機種や製造メーカーが異なると、前面扉１０１の裏面構造や本体２０１における制御装置３００の収容部位も異なる可能性があるため、第５構成例に係る電磁波遮蔽体と電磁波遮蔽体変換手段を汎用品として種々のスロットマシン１００に取り付ける場合、ヒンジ部６４１の取付可能位置が手前（前面側）過ぎたり逆に奥（背板２０１ｂ側）過ぎたり、或いは前面扉１０１の裏面側で作動接続部材１９２の固定可能位置が制限されて、第１連結作動棒６４２と第２連結作動棒６４３を適切に接続できない場合が考えられる。このような場合、バネ６４４の屈曲角度を変化させれば、第１連結作動棒６４２と第２連結作動棒６４３を夫々前面扉１０１の作動接続部部材１９２と電磁波遮蔽部材５４０の従動接続部５４４へ接続したときに、適切な電磁波遮蔽状態を実現できる位置に電磁波遮蔽部材５４０が配されるように調整することが可能である。
【００７２】
また、電磁波遮蔽部材５４０を電磁波遮蔽状態から開放状態に変換したときに、電磁波遮蔽部材５４０の回動角度が足りなくて制御装置３００の前面側が良く見えない場合には、バネ６４４としてトルク負荷の高い捩りバネを用いれば、第１連結作動棒６４２と第２連結作動棒６４３の連結部が開きに難くなる（一直線状に延び難くなる）ので、前面扉１０１の解放時における作動連結部材１９２から従動接続部５４４までの直線距離が実質的に短縮され、その分だけ電磁波遮蔽部材５４０の下端縁がより高い位置まで引き上げられることとなり、適切な開放状態を実現できる位置に電磁波遮蔽部材５４０が配されるように調整することが可能である。
【００７３】
このように、バネ６４４を介して第１連結作動棒６４２と第２連結作動棒６４３を接続した連結作動部は、「前面扉と電磁波遮蔽体との連結形態を変化させることで、前面扉の閉止時における電磁波遮蔽体の電磁波遮蔽状態および／または前面扉の開放時における電磁波遮蔽体の開放状態を調整する調整手段」を有するものとなる。なお、電磁波遮蔽状態や開放状態の調整を行うに際して、バネ６４４の第１接続部６４４ａと第２接続部６４４ｂを力尽くで曲げて角度を変えたり、第１連結作動棒６４２と第２連結作動棒６４３を接続するバネ６４４を増やしてトルク負荷を高めたりしても良いし、バネ６４４を着脱容易な構造として、別途用意した所望角度あるいは所望トルク負荷のバネと換装することによって、調整できるようにしても良い。また、電磁波遮蔽状態の調整のみを行う場合には、バネ６４４に代えて、開脚角度を変えたり所定の開脚角度に固定できるコンパスに類した接続部材を用い、この接続部材によって第１連結作動棒６４２と第２連結作動棒６４３の接続角度を調整した後にその角度に固定すれば良い。
【００７４】
〈電磁波遮蔽体と電磁波遮蔽体変換手段の第６構成例〉
図１０に示すのは、電磁波遮蔽体と電磁波遮蔽体変換手段の第６構成例であり、平板状の電磁波遮蔽体である電磁波遮蔽板５５０の一側方端縁を本体２０１の内面側（例えば、前面扉１０１の軸着側である左側板２０１ｄの内面側）にヒンジ部６５１によって回動可能に支持し、電磁波遮蔽板５５０の自由端側裏面適所に当接する位置規制突部６５２を上板２０１ａの下面から下方へ突設し、一端が電磁波遮蔽板５５０の従動接続部５５４に接続される連結作動棒５３３の他端を前面扉１０１の作動接続部材１９４に接続して、連結作動部を構成した。
【００７５】
斯く構成した第６構成例の電磁波遮蔽体および電磁波遮蔽体変換手段においては、前面扉１０１が閉じられているとき、電磁波遮蔽板５５０の裏面が位置規制突部６５２に当接する状態となるように作動連結棒６５３の長さを設定しておくことで、電磁波遮蔽板５５０の電磁波遮蔽状態が実現できる（図１０（ａ）を参照）。一方、前面扉１０１が開けられたとき、その牽引力が連結作動棒６５３を介して電磁波遮蔽板５５０に伝達され、電磁波遮蔽板５５０の自由端側が手前に回動してゆき、主制御装置３００の前面側から電磁波遮蔽板５５０が退くので、本体２０１の前面から主制御装置３００の前面が見通せる開放状態に変換される（図１０（ｂ）を参照）。
【００７６】
なお、本構成例のように電磁波遮蔽体を横開きさせるようにした場合、電磁波遮蔽体の上端を回動自在に支承した第１〜第５構成例と異なり、電磁波遮蔽体の自重のみに依存して開放状態から電磁波遮蔽状態へ回動復帰させることは困難なので、本構成例のように硬質な連結作動棒を用いることが有効であるが、例えば、電磁波遮蔽板５５０を回動可能に支持するヒンジ部６５１に付勢手段（バネ等）を付加することで、電磁波遮蔽板５５０の自由端側が主制御装置３００の前面側へ回動する付勢力を与えておけば、可撓性の連結作動紐を用いても連結作動部を構成できる。
【００７７】
〈電磁波遮蔽体と電磁波遮蔽体変換手段の第７構成例〉
図１１に示すのは、電磁波遮蔽体と電磁波遮蔽体変換手段の第７構成例であり、左側部電磁波遮蔽パネル５６１と右側部電磁波遮蔽パネル５６２とを屈曲部５６３を介して横方向に連設した電磁波遮蔽体である電磁波遮蔽部材５６０の左側部電磁波遮蔽パネル５６１の左側板２０１ｄ側端縁をヒンジ部６６１によって回動可能に支持し、電磁波遮蔽体５６０の右側部電磁波遮蔽パネル５６２の裏面適所に当接する位置規制突部６６２を上板２０１ａの下面から下方へ突設し、一端が電磁波遮蔽パネル５６２の右側板２０１ｃ側端縁に形成した従動接続部５６４に連結される第１連結作動棒６６３と一端が前面扉１０１の作動接続部材１９５に連結される第２連結作動棒６６４をバネ６６５を介して接続し、第１連結作動棒６６３と第２連結作動棒６６４が所定の角度を保つように付勢される連結作動部を構成した。
【００７８】
斯く構成した第７構成例の電磁波遮蔽体および電磁波遮蔽体変換手段においては、前面扉１０１が閉じられているとき、電磁波遮蔽部材５６０の裏面が位置規制突部６６２に当接する状態となるようにバネ６６５による屈曲角度と第１作動連結棒６６３と第２連結作動棒６６４の長さを設定しておくことで、電磁波遮蔽部材５６０の電磁波遮蔽状態が実現できる（図１１（ａ）を参照）。一方、前面扉１０１が開けられたとき、その牽引力が第１連結作動棒６６３を介して電磁波遮蔽部材５６０に伝達され、電磁波遮蔽部材５６０の右側部電磁波遮蔽パネル５６２が手前に回動してゆき、この右側部電磁波遮蔽パネル５６２の回動動作に追随して左側部電磁波遮蔽パネル５６１も手前に回動してゆき、主制御装置３００の前面側から電磁波遮蔽部材５６０が退くので、本体２０１の前面から主制御装置３００の前面が見通せる開放状態に変換される（図１１（ｂ）を参照）。なお、本構成例において、バネ６６５を介して第１連結作動棒６６３と第２連結作動棒６６４を接続した連結作動部は、「前面扉と電磁波遮蔽体との連結形態を変化させることで、前面扉の閉止時における電磁波遮蔽体の電磁波遮蔽状態および／または前面扉の開放時における電磁波遮蔽体の開放状態を調整する調整手段」を有するものとなる。
【００７９】
〈電磁波遮蔽体と電磁波遮蔽体変換手段の第８構成例〉
図１２に示すのは、電磁波遮蔽体と電磁波遮蔽体変換手段の第８構成例であり、導電性を有する可撓性シート（導電樹脂を薄板状に成型したシート）より成る電磁波遮蔽板５７０を電磁波遮蔽体とし、電磁波遮蔽体変換手段は、電磁波遮蔽板５７０の上端縁を上板２１０ａの下面に固定する固定部６７１と、電磁波遮蔽板５７０の従動接続部５７３と前面扉１０１の作動接続部とを接続した連結作動部である連結作動紐６７２と、から成る。
【００８０】
斯く構成した第８構成例の電磁波遮蔽体および電磁波遮蔽体変換手段においては、遊技台１００の前面扉１０１が閉止されているとき、連結作動紐６７２には電磁波遮蔽板５７０を引き起こす牽引力が作用しないので、電磁波遮蔽板５７０下端が重力方向へ垂下し、主制御装置３００の前面側に配される電磁波遮蔽状態が実現できる（図１２（ａ）を参照）。一方、前面扉１０１が開けられたとき、その牽引力が連結作動紐６７２を介して電磁波遮蔽板５７０に伝達され、電磁波遮蔽板５７０の従動接続部５７３が手前に引かれ、電磁波遮蔽板５７０の下方部が撓みつつ前側へ引き上げられて行き、主制御装置３００の前面側から電磁波遮蔽板５７０が退くので、本体２０１の前面から主制御装置３００の前面が見通せる開放状態に変換される（図１２（ｂ）を参照）。
【００８１】
なお、本構成例のように電磁波遮蔽体を可撓性の導電樹脂等で形成した場合には、開放状態から電磁波遮蔽状態へ変換させるために、初期状態への復元が速やかに行われるような弾性を持たせておく必要があるものの、電磁波遮蔽板５７０の弾性が強すぎると、前面扉１０１を開く際に、電磁波遮蔽板５７０を撓ませるために強い力が必要となって利便性を損なうので、これらを勘案した適宜な弾性を適用することが望ましい。
【００８２】
〈電磁波遮蔽装置の実施形態〉
図１３に示すのは、電磁波遮蔽装置７００の実施形態であり、上述した遊技台１００のように予め電磁波遮蔽体および電磁波遮蔽体変換手段を装備していない遊技台に対して、電磁波遮蔽体および電磁波遮蔽体変換手段の機能を付加できるものである。
【００８３】
電磁波遮蔽装置７００は、主制御装置３００が備える制御基板の前面側を覆い得る所要形状の電磁波遮蔽体７１０と、電磁波遮蔽体７１０を回動自在な状態で上板２０１ａの下面に取り付ける第１取付部７２１および第２取付部７２２と、電磁波遮蔽体７１０の裏面側に当接して前側から上方へ回動させる作動腕部７３１（図１３（ｃ），（ｄ）を参照）と、この作動腕部７３１の回動軸を正逆回転させる電気的駆動源たるモータ７３２（図１３（ｃ），（ｄ）を参照）と、電磁波遮蔽体７１０の一側方（右側板２０１ｃ側）に設けられて閉じられた前面扉１０１を検知できると共に前面扉１０１が所定角度以上開くと前面扉１０１を検知できなくなる検知エリア（図１３（ｄ）におけるＳＡの範囲で、例えば２０ｃｍ程度の範囲）を有するセンサ７４０と、センサ７４０が前面扉１０１を検知しているときは作動腕部７３１が重力方向に位置させ、センサ７４０が前面扉１０１を検知しなくなるとモータ７３２を正転させて作動腕部７３１を前上方へ約９０゜回動させ、センサ７４０が前面扉１０１を検知するとモータ７３２を逆転させて作動腕部７３１を後下方へ約９０゜戻り回動させるコントローラ７５０と、を備える。
【００８４】
本実施形態の電磁波遮蔽装置７００において、電磁波遮蔽体７１０は、前面側を覆い得る横長の前板部７１１と、該前板部７１１の左右両側方を各々後方へ屈曲させた側板部７１２，７１２を備えることで、主制御装置３００の前面側および左右両側方を電磁波から遮蔽する機能を持たせた。また、第１，第２取付部７２１，７２２は、電磁波遮蔽体７１０が主制御装置３００の前面側に配された電磁波遮蔽状態と、電磁波遮蔽体７１０が主制御装置３００の前面側から退避して主制御装置３００の前面側を開放する開放状態とに変換可能な状態で、電磁波遮蔽体７１０を遊技台１００の本体２０１へ取り付ける電磁波遮蔽体取付部として機能する。また、作動腕部７３２と、該作動腕部７３２を駆動する電気的駆動源たるモータ７３２は、電磁波遮蔽体７１０を電磁波遮蔽状態と開放状態を自在に変換できる電磁波遮蔽体変換駆動手段として機能する。また、センサ７４０は、前面扉１０１が本体２０１の前面開口を閉止した閉状態と、前面扉１０１が本体２０１の前面開口から開いた開状態とを検知可能な検知手段として機能する。コントローラ７５０は、検知手段たるセンサ７４０が開状態を検出すること（前面扉１０１を検知できなくなったこと）に基づいて、電磁波遮蔽体駆動手段を駆動させる（モータ７３２を正転させて作動腕部７３１を前上方へ回動させる）ことで電磁波遮蔽体７１０を開放状態に変換させ、センサ７４０が閉状態を検知すること（前面扉１０１を再び検知できるようになったこと）に基づいて、電磁波遮蔽体駆動手段を駆動させる（モータ７３２を逆転させて作動腕部７３１を後下方へ回動させる）ことで電磁波遮蔽体７１０を閉状態に変換させるように制御する電磁波遮蔽体変換駆動制御手段として機能する。
【００８５】
なお、本実施形態においては、コントローラ７５０の筐体内にモータ７３２および電源部を収納するものとし、コントローラ７５０の筐体から延出する受電用のコード７６０を介して、外部から給電を受けるものとした。例えば、コード７６０への給電先を遊技台１００の電源とは別にしておくと、遊技台１００の電源を遮断した状態で主制御装置３００の点検・保守作業を行う場合でも、電磁波遮蔽装置７００は独立して動作させておくことができるので、前面扉２０１を開いたのに電磁波遮蔽体７１０が開放状態に変換されないような不具合を回避できる。或いは、主制御装置３００に対する保守・点検作業に要する時間に応じた電磁波遮蔽装置７００の駆動を保証できる電源容量のバッテリを装備させても良い。
【００８６】
上述した電磁波遮蔽装置７００は、既存の遊技台に対して、電磁波遮蔽体７１０が主制御装置３００の前面側に配されるように装着するだけで、電磁波遮蔽体および電磁波遮蔽体変換手段の機能を実現できるので、汎用性の高いものとなる。また、電磁波遮蔽装置７００を設ける事による主制御装置３００に対する電磁波遮蔽の効果および保守・点検時における主制御装置３００の見通しを阻害しない効果は、上述した第１〜第８構成例の電磁波遮蔽体および電磁波遮蔽体変換手段を備える遊技台と同様である。
【００８７】
なお、本実施形態の電磁波遮蔽装置７００においては、検知可能エリア内に遮蔽物が有るか否かの２状態を検知するセンサ７４０を用いたため、作業者の手がセンサ７４０の検知エリア内に入ることで、コントローラ７５０が電磁波遮蔽体７１０を電磁波遮蔽状態へ戻り回動させるような誤動作も考えられるが、例えば、センサ７４０の検知時間が所定時間以上持続しない場合は前面扉１０１の閉止と判断させないようにしたり、センサ７４０を２以上設けて、全てのセンサの検知時間が所定時間以上持続した場合に前面扉１０１が閉止されたと判断させたりすることで、電磁波遮蔽装置７００の誤動作を回避できる。また、リミットスイッチ等を検知手段として用いることで、前面扉１０１が本体２０１の前面に当着しているか否かを前面扉１０１の開状態および閉状態として検知できるようにしても良い。
【００８８】
以上、本発明に係る遊技台および電磁波遮蔽装置につき、種々の実施形態に基づいて説明したが、本発明はこれらに限定されるものではなく、特許請求の範囲に記載の構成を変更しない限り、如何様にも実施可能である。例えば、電磁波遮蔽体および電磁波遮蔽体変換手段を設ける制御装置は、主制御装置に限定されるものではなく、副制御装置に対して設けるようにしても良いし、その他の制御装置に対して設けるようにしても良い。
【図面の簡単な説明】
【００８９】
【図１】遊技台の一例であるスロットマシンの外観を示す斜視図である。
【図２】前面扉を開いた状態のスロットマシンの斜視図である。
【図３】（ａ）は前面扉上部の裏面拡大図である。（ｂ）は貼着部を備えた作動接続部材の前面側斜視図である。（ｃ）は作動接続部材における貼着部の裏面図である。
【図４】（ａ）は電磁波遮蔽体と電磁波遮蔽体変換手段の第１構成例における電磁波遮蔽状態の概略説明図である。（ｂ）は電磁波遮蔽体と電磁波遮蔽体変換手段の第１構成例における開放状態の概略説明図である。
【図５】（ａ１）は電磁波遮蔽状態における本体の正面図である。（ａ２）は図５（ａ１）の概略縦断面図である。（ａ３）は上部を省略した本体の電磁波遮蔽状態における斜視図である。（ｂ１）は開放状態における本体の正面図である。（ｂ２）は図５（ｂ１）の概略縦断面図である。（ｂ３）は上部を省略した本体の開放状態における斜視図である。
【図６】（ａ）は電磁波遮蔽体と電磁波遮蔽体変換手段の第２構成例における電磁波遮蔽状態の概略説明図である。（ｂ）は電磁波遮蔽体と電磁波遮蔽体変換手段の第２構成例における開放状態の概略説明図である。
【図７】（ａ）は電磁波遮蔽体と電磁波遮蔽体変換手段の第３構成例における電磁波遮蔽状態の概略説明図である。（ｂ）は電磁波遮蔽体と電磁波遮蔽体変換手段の第３構成例における開放状態の概略説明図である。
【図８】（ａ）は電磁波遮蔽体と電磁波遮蔽体変換手段の第４構成例における電磁波遮蔽状態の概略説明図である。（ｂ）は電磁波遮蔽体と電磁波遮蔽体変換手段の第４構成例における開放状態の概略説明図である。
【図９】（ａ）は電磁波遮蔽体と電磁波遮蔽体変換手段の第５構成例における電磁波遮蔽状態の概略説明図である。（ｂ）は電磁波遮蔽体と電磁波遮蔽体変換手段の第５構成例における開放状態の概略説明図である。
【図１０】（ａ）は電磁波遮蔽体と電磁波遮蔽体変換手段の第６構成例における電磁波遮蔽状態の概略説明図である。（ｂ）は電磁波遮蔽体と電磁波遮蔽体変換手段の第６構成例における開放状態の概略説明図である。
【図１１】（ａ）は電磁波遮蔽体と電磁波遮蔽体変換手段の第７構成例における電磁波遮蔽状態の概略説明図である。（ｂ）は電磁波遮蔽体と電磁波遮蔽体変換手段の第７構成例における開放状態の概略説明図である。
【図１２】（ａ）は電磁波遮蔽体と電磁波遮蔽体変換手段の第８構成例における電磁波遮蔽状態の概略説明図である。（ｂ）は電磁波遮蔽体と電磁波遮蔽体変換手段の第８構成例における開放状態の概略説明図である。
【図１３】（ａ）は本実施形態に係る電磁波遮蔽装置（電磁波遮蔽状態）の前面側斜視図である。（ｂ）は図１３（ａ）のｂ−ｂ断面図である。（ｃ）は開放状態における電磁波遮蔽装置の概略縦断面図である。（ｄ）は電磁波遮蔽装置を装着した遊技台の概略説明図である。
【符号の説明】
【００９０】
１００    スロットマシン
１０１    前面枠
１９２    作動接続部材
２０１    本体
３００    主制御装置
５００    電磁波遮蔽板
５０１    前板部
５０２    側板部
５０３    従動接続部
６０１    ヒンジ部
６０２    連結作動紐
【図１】
2006141653.tif 000003
【図２】
2006141653.tif 000004
【図３】
2006141653.tif 000005
【図４】
2006141653.tif 000006
【図５】
2006141653.tif 000007
【図６】
2006141653.tif 000008
【図７】
2006141653.tif 000009
【図８】
2006141653.tif 000010
【図９】
2006141653.tif 000011
【図１０】
2006141653.tif 000012
【図１１】
2006141653.tif 000013
【図１２】
2006141653.tif 000014
【図１３】
2006141653.tif 000015